(57)【要約】【課題】  長期に渡って検出針の先端を変形損傷させることのない振動計を提供する。【解決手段】  振動計のケーシングは本体１と、本体１の後端に固定したキャップ３とから形成する。検出針４を軸方向に変位自在に本体１に取り付ける。スプリングとしてのコイル形状の形状記憶合金で作った温度応動部材１３で検出針４を付勢して被検出物に押し当てる検出針４の先端を本体１の開口１４から突出せしめる。検出針４の先端を被検出物に押し当てて温度応動部材１３を圧縮せしめることにより本体１の開口１４まで押し込む。温度応動部材１３の変形により検出針４の先端の本体１の開口１４からの突出量を高温時よりも低温時に小さくする。【選択図】      図１
2008170387.tif 000002
【特許請求の範囲】
【請求項１】
検出針を軸方向に変位自在にケーシングに取り付け、スプリングで検出針を付勢して被検出物に押し当てる検出針の先端をケーシングの開口から突出せしめ、この検出針の先端を被検出物に押し当ててスプリングを圧縮せしめることによりケーシングの開口まで押し込むものにおいて、スプリングをバイメタルや形状記憶合金等の温度に応じて変形する温度応動部材により形成し、検出針先端のケーシング開口からの突出量を高温時よりも低温時に小さくすることを特徴とする振動計。
【発明の詳細な説明】
【技術分野】
【０００１】
本発明は、蒸気配管系から蒸気を逃がさず復水を自動的に排出するスチームトラップ等の高温の被検出物の作動に伴う振動を検出して、作動の良否を確認するときに用いる振動計に関する。
【背景技術】
【０００２】
従来の振動計は、検出針を軸方向に変位自在にケーシングに取り付け、スプリングで検出針を付勢して被検出物に押し当てる検出針の先端をケーシングの開口から突出せしめ、この検出針の先端を被検出物に押し当ててスプリングを圧縮せしめることによりケーシングの開口まで押し込むものである。
【０００３】
スチームトラップが正常であり蒸気を逃がさず復水を排出していれば所定レベルの振動が検出され、スチームトラップが不良であり蒸気を逃がしていれば所定レベル以上の振動が検出される。また、スチームトラップが不良であり復水排出機能を喪失して詰まっていれば振動が検出されない。そのため、蒸気を逃がしているか否かを判定するためには所定レベル以上の振動であるか否かを正確に検出しなければならず、検出針を所定以上の力で被検出物に押し当てる必要がある。しかしながら、復水排出機能の喪失は振動が検出されないので、検出針を所定以上の力で被検出物に押し当てる必要がない。上記従来の振動計は、検出針の先端をケーシングの開口まで押し込むことにより、スチームトラップが復水排出機能を喪失している場合であっても、検出針を所定以上の力で被検出物に押し当てるものであるので、復水排出機能を喪失したスチームトラップを多数含む多数の被検出物の振動を検出すると比較的早期に検出針の先端が変形損傷して振動を検出できなくなる問題点があった。
【特許文献１】実公平６−３７３０３号公報
【発明の開示】
【発明が解決しようとする課題】
【０００４】
解決しようとする課題は、長期に渡って検出針の先端を変形損傷させることのない振動計を提供することである。
【課題を解決するための手段】
【０００５】
本発明は、検出針を軸方向に変位自在にケーシングに取り付け、スプリングで検出針を付勢して被検出物に押し当てる検出針の先端をケーシングの開口から突出せしめ、この検出針の先端を被検出物に押し当ててスプリングを圧縮せしめることによりケーシングの開口まで押し込むものにおいて、スプリングをバイメタルや形状記憶合金等の温度に応じて変形する温度応動部材により形成し、検出針先端のケーシング開口からの突出量を高温時よりも低温時に小さくすることを特徴とする。
【発明の効果】
【０００６】
本発明は、スプリングをバイメタルや形状記憶合金等の温度に応じて変形する温度応動部材により形成し、検出針先端のケーシング開口からの突出量を高温時よりも低温時に小さくすることにより、長期に渡って検出針の先端を変形損傷させることがないという優れた効果を生じる。
【発明を実施するための最良の形態】
【０００７】
本発明の振動計は、スプリングをバイメタルや形状記憶合金等の温度に応じて変形する温度応動部材により形成し、検出針先端のケーシング開口からの突出量を高温時よりも低温時に小さくするものである。そのため、スチームトラップが復水を排出したり蒸気を逃がしたりしている高温時は検出針先端のケーシング開口からの突出量が大きく、検出針を所定以上の力で被検出物に押し当てることができ、スチームトラップが復水排出機能を喪失して詰まっている低温時は検出針先端のケーシング開口からの突出量が小さく、検出針を所定以下の力で被検出物に押し当てることができる。そのため、復水排出機能を喪失したスチームトラップを多数含む多数の被検出物の振動を検出しても長期に渡って検出針の先端を変形損傷させることがない。
【実施例１】
【０００８】
上記の技術的手段の具体例を示す実施例を説明する（図１参照）。振動計のケーシングは本体１と、本体１の後端に固定したキャップ３とから形成する。本体１内に検出針４を軸方向に変位自在に配置する。検出針４の後端に感振素子５を固定する。感振素子５は検出針４の後端に、振動伝達板６をねじ結合すると共に電極板７と圧電素子８と電極板９とウエイト１０と防振ゴム１１を挿入してナット１２で固定したものである。防振ゴム１１とキャップ３の間にスプリングとしてのコイル形状の形状記憶合金で作った温度応動部材１３を配置する。形状記憶合金１３の一端は防振ゴム１１に固定し他端はキャップ３に固定する。温度応動部材１３は温度に応じて変形し、所定温度例えば６０度以下であれば母相からマルテンサイト相にマルテンサイト変態して予め縮み記憶させておいた短い形状に変形し、検出針４の先端を本体１の開口１４から少し突出させ、所定温度以上になればマルテンサイト相から母相に逆変態して伸び記憶させておいた長い形状になり、検出針４の先端を本体１の開口１４から大きく突出させる。感振素子５で検出した電圧変動がケーブル１６ないしは無線式伝送手段により判定器（図示せず）に送られる。
【０００９】
次に本実施例の振動計の作用について説明する。検出針４の先端を被検出物としてのスチームトラップに押し当てて形状記憶合金１３を圧縮せしめることによりケーシング１の開口１４まで押し込む。スチームトラップの振動が検出針４を通して振動伝達板６に伝わり、圧力変動として圧電素子８に作用し電圧変動が生じる。この電圧変動が電極板７，９からケーブル１６により判定器に送られ、判定器でスチームトラップの作動の良否が判定される。スチームトラップが復水を排出したり蒸気を逃がしたりしていると高温であり、温度応動部材１３が検出針４の先端をケーシング１の開口１４から大きく突出させようとするので、検出針４が所定以上の力でスチームトラップに押し当てられる。スチームトラップが復水排出機能を喪失して詰まっていると低温であり、温度応動部材１３が検出針４の先端をケーシング１の開口１４から小さく突出させようとするので、検出針４が所定以下の力でスチームトラップに押し当てられる。
【図面の簡単な説明】
【００１０】
【図１】本発明の振動計の断面図。
【符号の説明】
【００１１】
１  本体
３  キャップ
４  検出針
５  感振素子
７  圧電素子
１３  形状記憶合金
１４  本体の開口
【図１】
2008170387.tif 000003